(57)【要約】      （修正有）【課題】留め具は脱落し難くし、卒業証書などの紙類は差し込み易くする。【解決手段】表表紙と裏表紙を背表紙で連結し、背表紙の内面側に心棒を背表紙に沿って配置し、心棒の背表紙側の横断面を円弧形状にし、背表紙の両端と心棒の両端をそれぞれ弾力のある留め具で挟んで背表紙の両端に心棒の両端を取り付け、証書、図面や絵画などの紙類を心棒と背表紙の間に挿入して表表紙と裏表紙の内面に重ね、背表紙を曲げて表表紙と裏表紙を重ね合わせ、紙類を、その中央部を心棒の円弧形状横断面の背表紙側に沿って曲げて、二つ折り状にする紙類フォルダにおいて、留め具１１は、外側の挟み片１２と内側の挟み片１３及びそれらの間に位置する中間の挟み片１４を設け、外側の挟み片１２と中間の挟み片１４の間に背表紙３を挟み、中間の挟み片１４と内側の挟み片１３の間に心棒４又は心棒４と紙類Ｓを挟む構成にした。【選択図】図６
0003118779.tif 000002
【実用新案登録請求の範囲】
【請求項１】
表表紙と裏表紙を背表紙で連結し、背表紙の内面側に心棒を背表紙に沿って配置し、心棒の背表紙側の横断面を円弧形状にし、背表紙の両端と心棒の両端をそれぞれ弾力のある留め具で挟んで背表紙の両端に心棒の両端を取り付け、
証書、図面や絵画などの紙類を心棒と背表紙の間に挿入して表表紙と裏表紙の内面に重ね、背表紙を曲げて表表紙と裏表紙を重ね合わせ、紙類を、その中央部を心棒の円弧形状横断面の背表紙側に沿って曲げて、二つ折り状にする構成にした紙類フォルダにおいて、
留め具は、外側の挟み片と内側の挟み片及びそれらの間に位置する中間の挟み片を設け、外側の挟み片と中間の挟み片の間に背表紙を挟み、中間の挟み片と内側の挟み片の間に心棒又は心棒と紙類を挟む構成にしたことを特徴とする紙類フォルダ。
【請求項２】
中間の挟み片は、先端に先細形状の駒部を形成し、背表紙と心棒に接触する駒部を外側の挟み片と内側の挟み片に隣接したことを特徴とする請求項１に記載の紙類フォルダ。
【請求項３】
中間の挟み片は、先端に円形横断面状の駒部を形成したことを特徴とする請求項１又は２に記載の紙類フォルダ。
【請求項４】
心棒は、円管にし、円管の端の周壁の背表紙側を中間の挟み片と内側の挟み片の間に挟む構成にしたことを特徴とする請求項１、２又は３に記載の紙類フォルダ。
【考案の詳細な説明】
【技術分野】
【０００１】
本考案は、卒業証書、学位記、会員証や表彰状などの証書、図面や絵画などの大判の紙類を入れるフォルダに関する。
【背景技術】
【０００２】
卒業証書を入れるフォルダは、特許文献１に開示されている。このフォルダは、図７〜図９に示すように、厚手の表表紙１と裏表紙２を薄手の背表紙３で左右に連結している。表表紙１と裏表紙２は、背表紙３を折り曲げて、重ね合わされる。
【０００３】
背表紙３の内面側には、透明合成樹脂製円管の心棒４を細長い背表紙３に沿って配置し、背表紙３の上端と心棒４の上端周壁の背表紙３側を弾性合成樹脂成形品のＵ字型状の留め具５で挟んで、背表紙３の上端に心棒４の上端を取り付けている。また、同様に、背表紙３の下端と心棒４の下端周壁の背表紙３側を留め具５で挟んで、背表紙３の下端に心棒４の下端を取り付けている。
【０００４】
円管の心棒４は、上下の両端が背表紙３の上下の両端にＵ字型状の弾力のある留め具５で取り付けられる。背表紙３に心棒４を取り付ける作業は、Ｕ字型状の弾力のある留め具５を差し込むだけである。
【０００５】
このフォルダに卒業証書を入れるときには、表表紙１と裏表紙２は、左右に開き、右側の裏表紙２内面に卒業証書の左半分を重ね、大判の厚紙の卒業証書を、裏表紙２と表表紙１の内面に沿って左側に移動して、背表紙３と心棒４の間に右側から挿入する。背表紙３と心棒４の間には、右側と左側にそれぞれ楔型状横断面の隙間があるので、卒業証書を挿入し易い。卒業証書Ｓは、図１０と図１１に示すように、左右方向中央部を背表紙３と透明な心棒４との間に挟んで、裏表紙２と表表紙１の内面に重ねる。
【０００６】
そして、フォルダは、背表紙３を折り曲げて表表紙１と裏表紙２を重ね合わせる。卒業証書Ｓは、左右方向中央部が心棒４の円弧形状横断面の背表紙３側に沿って曲がり、二つ折り状になる。
【０００７】
フォルダは、卒業証書Ｓの半分位になり、小型になる。卒業証書Ｓは、左右方向中央部に破れ易い折り目がつかない。
【０００８】
【特許文献１】登録実用新案第３０６４５８２号公報
【考案の開示】
【考案が解決しようとする課題】
【０００９】
［背景技術の課題］
上記のフォルダにおいては、Ｕ字型状の弾力のある留め具５は、背表紙３に心棒４を挟み留めている。卒業証書Ｓを入れるときには、背表紙３と心棒４の間に卒業証書Ｓを差し込んで挟み留める。留め具５は、背表紙３に心棒４と卒業証書Ｓを挟み留めることになる。
【００１０】
留め具５の挟む力を弱くすると、背表紙３と心棒４の間に卒業証書Ｓを差し込み易くなるが、留め具５が背表紙３から脱落し易くなって、背表紙３から心棒４が離脱し易くなる。逆に、留め具５の挟む力を強くすると、留め具５が脱落し難くなるが、背表紙３と心棒４の間に卒業証書Ｓを差し込み難くなる。
【００１１】
留め具５が背表紙３から脱落し難く、かつ、背表紙３と心棒４の間に卒業証書Ｓを差し込み易くすることは、困難である。
【００１２】
［課題を解決するための着想］
上記のフォルダにおいては、留め具５は、挟み片が内外両側の２本である。両側の挟み片の間には、背表紙３と心棒４を挟むし、また、それらに重ねて卒業証書Ｓなどの紙類も挟む。留め具５を背表紙３に留める力と、卒業証書Ｓなどの紙類を背表紙３又は心棒４に留める力は、同じである。個別には設定することができない。
【００１３】
そこで、留め具は、挟み片を、内外両側の２本とそれらの中間の１本、合計３本にし、外側の挟み片と中間の挟み片の間に背表紙３を挟み、中間の挟み片と内側の挟み片の間に心棒４又は心棒４と卒業証書Ｓなどの紙類を挟むことにした。
【００１４】
このような構成にすると、留め具を背表紙３に留める力は、留め具の外側の挟み片と中間の挟み片の隙間と曲げ剛性によって設定され、また、卒業証書Ｓなどの紙類を心棒４に留める力は、留め具の中間の挟み片と内側の挟み片の隙間と曲げ剛性によって設定される。留め具を背表紙３に留める力と、卒業証書Ｓなどの紙類を心棒４に留める力は、個別に設定することができる。
【００１５】
従って、留め具の外側の挟み片と中間の挟み片の隙間と曲げ剛性を選択することによって留め具が背表紙３から脱落し難くし、かつ、留め具の中間の挟み片と内側の挟み片の隙間と曲げ剛性を選択することによって中間の挟み片と心棒４の間に卒業証書Ｓなどの紙類を差し込み易くすることができる。
【課題を解決するための手段】
【００１６】
１）表表紙１と裏表紙２を背表紙３で連結し、背表紙３の内面側に心棒４を背表紙３に沿って配置し、心棒４の背表紙３側の横断面を円弧形状にし、背表紙３の両端と心棒４の両端をそれぞれ弾力のある留め具で挟んで背表紙３の両端に心棒４の両端を取り付け、
証書、図面や絵画などの紙類Ｓを心棒４と背表紙３の間に挿入して表表紙１と裏表紙２の内面に重ね、背表紙３を曲げて表表紙１と裏表紙２を重ね合わせ、紙類を、その中央部を心棒４の円弧形状横断面の背表紙３側に沿って曲げて、二つ折り状にする構成にした紙類フォルダにおいて、
留め具１１は、図３、図４と図６に例示するように、外側の挟み片１２と内側の挟み片１３及びそれらの間に位置する中間の挟み片１４を設け、外側の挟み片１２と中間の挟み片１４の間に背表紙３を挟み、中間の挟み片１４と内側の挟み片１３の間に心棒４又は心棒４と紙類Ｓを挟む構成にしたことを特徴とする。
【００１７】
２）上記の紙類フォルダにおいて、
中間の挟み片１４は、図３、図４と図６に例示するように、先端に先細形状の駒部１６を形成し、背表紙３と心棒４に接触する駒部１６を外側の挟み片１２と内側の挟み片１３に隣接したことを特徴とする。
【００１８】
３）上記の紙類フォルダにおいて、
中間の挟み片１４は、図４に例示するように、先端に円形横断面状の駒部１６を形成したことを特徴とする。
【００１９】
４）上記の紙類フォルダにおいて、
心棒４は、円管にし、円管の端の周壁の背表紙３側を中間の挟み片１４と内側の挟み片１３の間に挟む構成にしたことを特徴とする。
【考案の効果】
【００２０】
留め具を背表紙に留める力と、卒業証書などの紙類を心棒に留める力は、個別に設定することができる。留め具は脱落し難くし、かつ、卒業証書などの紙類は差し込み易くすることができる。
【考案を実施するための最良の形態】
【００２１】
実施形態の紙類フォルダは、大判の厚紙の卒業証書Ｓを入れるフォルダである。このフォルダは、図１と図２に示すように、長方形の表表紙１と裏表紙２を幅狭長方形の背表紙３で左右に連結している。表表紙１と裏表紙２は、それぞれ、厚手であり、ダンボール紙を紙や布で被覆して構成している。背表紙３は、薄手であり、紙や布を貼り合わせて構成している。表表紙１と裏表紙２は、同形同寸であり、背表紙３を折り曲げて、重ね合わされる。
【００２２】
背表紙３の内面側には、心棒４を細長い背表紙３に沿って配置している。心棒４は、透明合成樹脂製の円管である。透明円管の心棒４は、上下の両端を、それぞれ、背表紙３の上下の両端に弾力のある留め具１１で取り付けている。
【００２３】
留め具１１は、弾性合成樹脂製であり、図３と図４に示すように、基端片の片面に外側の挟み片１２と内側の挟み片１３及びそれらの間に位置する中間の挟み片１４を並列して突出している。３本の挟み片１２、１３、１４を平行又はほぼ平行に設けている。外側の挟み片１２と内側の挟み片１３は、長さが等しく、細長い長方形板である。中間の挟み片１４は、内外両側の挟み片１２、１３より短く、細長い長方形板の棒部１５とその先端の駒部１６からなる。駒部１６は、横断面が円形であり、基端側の均等径の円板部と先端側の先細の円錐台部を同心に形成している。駒部１６の円板部は、棒部１５より横断面が大きく、円錐台部の最大径と同径である。
【００２４】
この留め具１１は、製造時には、駒部１６とそれ以外の部分を別々に成形し、駒部１６以外の部分の棒部１５と駒部１６を接合する。接合は、駒部１６の基端面に形成した穴部に棒部１５の先端を嵌め込み、両者を接着剤で接着する。駒部１６は、外径を増減すると、外側の挟み片１２との間の隙間と、内側の挟み片１３との間の隙間が増減する。すると、外側の挟み片１２と中間の挟み片１４の間に挟み留める力と、中間の挟み片１４と内側の挟み片１３の間に挟み留める力が調整される。
【００２５】
外側の挟み片１２と中間の挟み片１４の間には、図３に示すように、背表紙３を挟んでいる。中間の挟み片１４と内側の挟み片１３の間には、円管の心棒４の周壁の背表紙３側を挟んでいる。内側の挟み片１３は、心棒４の円管内に挿入している。中間の挟み片１４は、先端の駒部１６が背表紙３に接触し、また、心棒４に接触している。背表紙３は、外側の挟み片１２と中間の挟み片１４に強く挟まれている。留め具１１を脱落し難くするためである。これに対し、心棒４の周壁は、中間の挟み片１４と内側の挟み片１３に弱く挟まれている。中間の挟み片１４と心棒４の間に卒業証書Ｓを差し込み易くするためである。
【００２６】
留め具１１は、中間の挟み片１４の先端の駒部１６が先細形状であって、外側の挟み片１２に隣接しているので、外側の挟み片１２と中間の挟み片１４の間に背表紙３を挟み易い。また、中間の挟み片１４の先端の駒部１６が先細形状であって、内側の挟み片１３に隣接しているので、中間の挟み片１４と内側の挟み片１３の間に円管の心棒４の周壁を挟み易い。
【００２７】
この紙類フォルダに大判の厚紙の卒業証書Ｓを入れるときには、図１と図２に示すように、表表紙１と裏表紙２を開き、露出した右側の裏表紙２内面に卒業証書Ｓの左半分を重ねる。その卒業証書Ｓは、裏表紙２と表表紙１の内面に沿って左側に移動して、留め具１１の中間の挟み片１４と心棒４の間に右側から挿入する。卒業証書Ｓは、図５と図６に示すように、左右方向中央部を中間の挟み片１４と心棒４との間に挟んで、裏表紙２と表表紙１の内面に重ねる。中間の挟み片１４は、先端の駒部１６が卒業証書Ｓに接触する。
【００２８】
卒業証書Ｓを挿入する際、中間の挟み片１４の駒部１６が円形横断面で、心棒４の背表紙３側が円弧形状横断面であって、中間の挟み片１４の駒部１６と心棒４の間の右側に楔型状横断面の隙間があるので、卒業証書Ｓを中間の挟み片１４の駒部１６と心棒４の間に挿入し易い。なお、卒業証書Ｓを中間の挟み片１４の駒部１６と心棒４の間に左側から挿入しても同様である。
【００２９】
卒業証書Ｓを挿入した後、表表紙１と裏表紙２は、閉じて、重ね合わせる。卒業証書Ｓは、その左右方向中央部が心棒４の円弧形状横断面の背表紙３側に沿って曲がり、二つ折り状になる。
【００３０】
［変形例］
１）上記の実施形態において、留め具１１は、弾性のある合成樹脂製であるが、弾性のある金属製にする。
２）上記の実施形態において、中間の挟み片１４の棒部１５は、細長い長方形板であるが、丸棒又は角棒若しくはその他の形状にする。
３）上記の実施形態において、外側の挟み片１２と内側の挟み片１３は、細長い長方形板であるが、丸棒又は角棒若しくはその他の形状にする。
【図面の簡単な説明】
【００３１】
【図１】本考案の実施形態における紙類フォルダの開いた状態の正面図。
【図２】同フォルダの開いた状態の平面図。
【図３】図１のＡ−Ａ線断面の中間省略拡大図。
【図４】同フォルダの留め具の拡大斜視図。
【図５】同フォルダを開いて卒業証書を入れた状態の正面図。
【図６】図５のＢ−Ｂ線断面の中間省略拡大図。
【図７】背景技術におけるフォルダの開いた状態の正面図。
【図８】同フォルダの開いた状態の平面図。
【図９】図７のＣ−Ｃ線断面の中間省略拡大図。
【図１０】同フォルダを開いて卒業証書を入れた状態の正面図。
【図１１】図１０のＤ−Ｄ線断面の中間省略拡大図。
【符号の説明】
【００３２】
Ｓ  卒業証書、証書、図面や絵画などの紙類
１  表表紙
２  裏表紙
３  背表紙
４  透明合成樹脂製円管の心棒
５  背景技術におけるＵ字型状の弾力のある留め具
１１  弾力のある留め具
１２  外側の挟み片
１３  内側の挟み片
１４  中間の挟み片
１５  棒部
１６  駒部
【図１】
0003118779.tif 000003
【図２】
0003118779.tif 000004
【図３】
0003118779.tif 000005
【図４】
0003118779.tif 000006
【図５】
0003118779.tif 000007
【図６】
0003118779.tif 000008
【図７】
0003118779.tif 000009
【図８】
0003118779.tif 000010
【図９】
0003118779.tif 000011
【図１０】
0003118779.tif 000012
【図１１】
0003118779.tif 000013